(57)【要約】【課題】簡易な構成で、ディスクと光ピックアップレンズとの接触を防ぐと共に、コンパクト化可能なレンズ保護機構及びディスク再生装置を提供すること。【解決手段】ターンテーブル２１上に載置されたディスク１３に光を投受光させると共に、駆動源３６によってディスク１３の径方向に駆動される光ピックアップ３１に備えられたレンズ４０の保護を図るレンズ保護機構１１であり、駆動源３６の駆動を制御する制御手段５０を具備したものである。この制御手段５０は、ディスク１３の再生状態／再生待機状態で、他ソース／電源オフに切り替えられた場合に、光ピックアップレンズ４０をターンテーブル２１の下方に位置させるように制御する。それによって、レンズ４０とディスク１３が衝突して、レンズ４０に傷が付くことが防止される。【選択図】  図１
2004158133.tif 000002
【特許請求の範囲】
【請求項１】
ターンテーブル上に載置されたディスクに光を投受光させると共に、駆動源によって上記ディスクの径方向に駆動される光ピックアップに備えられたレンズの保護を図るレンズ保護機構において、
上記駆動源の駆動を制御する制御手段を具備し、この制御手段は、上記ディスクの再生状態／再生待機状態で他ソース／電源オフに切り替えられた場合に、上記光ピックアップレンズを上記ターンテーブルの下方に位置させるように制御することを特徴とするレンズ保護機構。
【請求項２】
前記レンズと対向する前記ターンテーブルの下面には、クッション材が取り付けられていて、このクッション材の存在によって前記レンズが前記ターンテーブルの下面と直接接触しないことを特徴とする請求項１記載のレンズ保護機構。
【請求項３】
前記ターンテーブルを回転駆動させるスピンドルモータは、そのハウジングが前記ターンテーブルと同心に配置され、その半径が前記ターンテーブルの半径よりも小さく設けられており、
前記レンズは前記光ピックアップのうち前記ディスクの径方向に沿って移動する位置であって、上記スピンドルモータのハウジングと近接可能な部位に取り付けられていて、
前記光ピックアップが前記制御手段での前記駆動源の制御によって前記スピンドルモータ側に移動したときに、前記レンズが前記ターンテーブルの下方に位置可能としていることを特徴とする請求項１または２記載のレンズ保護機構。
【請求項４】
前記光ピックアップは、前記制御手段によって前記ターンテーブルの下方に前記レンズを位置させるに際して、このレンズと前記ターンテーブルとの間のクリアランスが規定以下の場合に、該規定以上のクリアランスとなるように、前記制御手段によって制御駆動されることを特徴とする請求項１から３のいずれか１項に記載のレンズ保護機構。
【請求項５】
請求項１から４のいずれか１項に記載のレンズ保護機構を具備することを特徴とするディスク再生装置。
【発明の詳細な説明】
【０００１】
【発明の属する技術分野】
本発明は、レンズ保護機構およびこのレンズ保護機構を用いたディスク再生装置に関する。
【０００２】
【従来の技術】
ディスク再生装置において使用される光学ピックアップのレンズは、電気制御によって、ディスクの再生中に該ディスクとの距離が一定に保たれている。かかるディスク再生装置のうち、車載用等のディスク再生装置の場合、ディスクを再生している状態において、例えば他ソース／電源オフ（チューナ等を使用した場合、または電源オフにした場合をいう。）に切り替えられると、光学ピックアップのレンズは通電しない状態となる。
【０００３】
このような非通電状態では、光ピックアップのレンズのディスクに対する距離の電気制御が為されずに、ディスクとの距離を一定に保てなくなる。そのため、光ピックアップのレンズは、自動車の走行時等に生ずる振動等の外乱により、上下に動く状態となる。特に、ディスクが再生位置にある状態（ターンテーブルに載置された状態）では、レンズとディスクとの距離が近いため、ディスクにレンズが接触してしまうことがある。
【０００４】
このようなディスクとレンズとの接触の防止を図る構成の例としては、特許文献１（特開２００２−２５０９４号公報）記載のものがある。この構成では、衝突防止装置にレンズよりも先にディスクに接触する接触部分が設けることで、該レンズの保護を図っている。
【０００５】
また、接触させないための従来例としては、他ソースに切り替えられた場合でも、光ピックアップを通電状態とし、電気制御によってレンズの保護を図る構成もある。他の従来例としては、他ソースに切替えられた場合に、光ピックアップをディスクの外周よりも外に移動させて、該光ピックアップを待機させておく、というものがある。
【０００６】
【特許文献１】
特開２００２−２５０９４号公報（発明の実施の形態全体、図５、図８）
【０００７】
【発明が解決しようとする課題】
ここで、車載用のディスク再生装置においては、スペース効率を良好にするために薄型化が図られている。かかるディスク再生装置の薄型化を図る場合、光ピックアップのレンズとディスクとの距離が小さくなり、光ピックアップのレンズとディスクとの接触をきたしがちとなる。特に、近年開発が進められている青色レーザ等を利用したディスク再生装置では、ディスクとレンズの距離が極めて近く、レンズとディスクが接触してしまう可能性が高い。
【０００８】
しかしながら、上述した特許文献１記載の構成では、ディスクに対して接触させるための接触パッドを別途設ける必要がある。また、ディスクに対して接触パッドが接触する構成のため、ディスクに傷がつきやすいものとなる。
【０００９】
また、他のソースに切り替えられた場合に、光ピックアップを通電状態とし、電気制御によってレンズの保護を図る構成では、消費電力が大きくなってしまう。そのため、ディスク再生装置や車載バッテリの寿命が短くなるという問題がある。また、光ピックアップをディスクの外周よりも外側に移動させ、該光ピックアップを待機させておく構成の場合、ディスク再生装置が大型化し、該ディスク再生装置のコンパクト化が図れない、といった問題が生じる。
【００１０】
本発明は、上記の事情に基づきなされたもので、その目的とするところは、簡易な構成で、ディスクと光ピックアップのレンズとの接触を防ぐことが可能なレンズ保護機構およびこのレンズ保護機構を用いたディスク再生装置を提供しよう、とするものである。
【００１１】
【課題を解決するための手段】
上述の目的を達成するため、本発明は、ターンテーブル上に載置されたディスクに光を投受光させると共に、駆動源によってディスクの径方向に駆動される光ピックアップに備えられたレンズの保護を図るレンズ保護機構において、駆動源の駆動を制御する制御手段を具備し、この制御手段は、ディスクの再生状態／再生待機状態で他ソース／電源オフに切り替えられた場合に、光ピックアップレンズを上記ターンテーブルの下方に位置させるように制御するものである。
【００１２】
また、他の発明は、上述の発明に加えて更に、レンズと対向するターンテーブルの下面には、クッション材が取り付けられていて、このクッション材の存在によってレンズがターンテーブルの下面と直接接触しないこととしたものである。
【００１３】
さらに、他の発明は、上述の各発明に加えて更に、ターンテーブルを回転駆動させるスピンドルモータは、そのハウジングがターンテーブルと同心に配置され、その半径がターンテーブルの半径よりも小さく設けられており、レンズは光ピックアップのうちディスクの径方向に沿って移動する位置であって、スピンドルモータのハウジングと近接可能な部位に取り付けられていて、光ピックアップが制御手段での駆動源の制御によってスピンドルモータ側に移動したときに、レンズがターンテーブルの下方に位置可能としているものである。
【００１４】
また、他の発明は、上述の各発明に加えて更に、光ピックアップは、制御手段によってターンテーブルの下方にレンズを位置させるに際して、このレンズとターンテーブルとの間のクリアランスが規定以下の場合に、該規定以上のクリアランスとなるように、制御手段によって制御駆動されるものである。
【００１５】
さらに、他の発明は、上述のレンズ保護機構の各発明を、ディスク再生装置に適用したものである。
【００１６】
【発明の実施の形態】
以下、本発明の一実施の形態について、図１から図３に基づいて説明する。図１および図２は、本発明の一実施の形態に係るディスク再生装置１０およびこのディスク再生装置１０に用いられるレンズ保護機構１１の要部の概略構成を示す平面図である。
【００１７】
図１および図２に示すディスク再生装置１０の略中央部分（本実施の形態では、図１および図２に示すシャーシの右上部分）には、ハウジングが円筒形となるスピンドルモータ２０が配置されている。このスピンドルモータ２０には、その回転軸２０ａ（図３参照）に円盤状のターンテーブル２１が取り付けられている。ターンテーブル２１は、スピンドルモータ２０と同心に配置されると共に、その上面にディスク１３を載置可能となっている。このターンテーブル２１上にディスク１３を載置し、不図示のクランパとターンテーブル２１との間で該ディスク１３をクランプすることで、ディスク１３の再生が可能な状態となる。
【００１８】
ここで、図３に示すように、ターンテーブル２１の半径は、スピンドルモータ２０のハウジングの半径よりも大きくなるように設けられていて、しかも両半径の差は、後述するレンズ４０の直径よりも大きくなるように設定されている。また、この実施の形態では、さらに両半径の差は、光ピックアップ３１のスピンドルモータ２０側の縁部からレンズ４０のスピンドルモータ２０から離れる側までの距離Ｌ１以上となっている。それにより、スピンドルモータ２０のハウジング外周側であって、ターンテーブル２１の下方側の位置に、レンズ４０を退避させることが可能となっている。
【００１９】
なお、ターンテーブル２１は、情報が記録されているディスク１３を載置する関係上、その直径を大きくすることはできない。そのため、スピンドルモータ２０のハウジングの直径を、所定以下の値とする必要がある。
【００２０】
また、図３に示すように、ターンテーブル２１の下面には、円盤状のクッション材２２が、ターンテーブル２１と同心でかつ回転軸２０ａ付近を除いた該下面の略全体に亘って貼付されている。このクッション材２２は、後述する光ピックアップレンズ４０が接触可能となる部分であり、接触によってレンズ４０に傷を生じさせない柔らかい材質（例えば、布やスポンジ等）から形成されている。そして、このクッション材２２によって、硬いターンテーブル２１の下面にレンズ４０が直接接触するのを防いでいる。
【００２１】
なお、このクッション材２２は、ターンテーブル２１の直径よりも僅かに小さい直径を持つように構成されていると共に、この実施の形態では、その外周縁部が上方側ほど大径となる傾斜部２２ａ（図３（ａ）の部分拡大図参照）として形成されている。このクッション材２２は、レンズ４０が接触する高さ位置に取り付けられていても良く、またレンズ４０のターンテーブル２１下方への退避時（以下、退避時という。）に、レンズ４０が接触しない高さ位置に取り付けられていても良い。この実施の形態では、図１に示すように、クッション材２２の下方（径内）に、レンズ４０の全体が入り込めるように構成されている。
【００２２】
また、図１および図２に示すように、ディスク再生装置１０は、シャーシ１２上に光ピックアップ３１を駆動させるためのピックアップ駆動機構３０を有している。このピックアップ駆動機構３０は、主軸３２および不図示の副軸を有していて、これら主軸３２および副軸により、光ピックアップ３１（図示しないフォーカスアクチュエータを含む）の支持および案内が為される。
【００２３】
光ピックアップ３１の短手に沿う縁部からは、ガイド部材３３が延伸している。このガイド部材３３は、主軸３２および副軸に係合している。そして、この係合によって、光ピックアップ３１が主軸３２および副軸に沿ってスライドする構成となっている。
【００２４】
また、ガイド部材３３とは別に、光ピックアップ３１の主軸３２側の縁部には、ラック取付部３４が設けられていて、このラック取付部３４には、ラック３５が取り付けられている。また、ラック３５に駆動力を伝達するために、シャーシ１２には、ピックアップ駆動機構３０を構成すると共に駆動源としてのピック駆動用モータ３６、およびピック駆動用モータ３６の駆動により従動回転する、ピックアップ駆動機構３０を構成するギヤ輪列３７が設けられている。また、ギヤ輪列中３７のピックギヤ３８が、ラック３５の歯部と噛み合っている。それにより、ラック３５は、ピック駆動用モータ３６により発生する駆動力によって主軸３２および副軸に沿って進行する構成となっている。
【００２５】
光ピックアップ３１には、光ピックアップレンズ４０（以下、単にレンズ４０とも呼ぶ。）が取り付けられている。このレンズ４０は、後述するターンテーブル２１上に載置されているディスク１３の径方向に沿った移動をするように、光ピックアップ３１上の所定の位置に取り付けられている。ここで、本実施の形態では、レンズ４０は、光ピックアップ３１のうち、一端側（図１および図２においては右側）に取り付けられている。それにより、後述するように、光ピックアップ３１が一端側であるスピンドルモータ２０側に移動した場合でも、該光ピックアップ３１とスピンドルモータ２０とが干渉するのを防止している。
【００２６】
ここで、光ピックアップ３１は、スピンドルモータ２０のハウジングに衝突することで、一端側に向かう進行が停止される。この衝突状態では、レンズ４０はターンテーブル２１の下方に位置し、レンズ４０がターンテーブル２１の下に隠れたレンズ保護状態となる。また、かかるレンズ保護状態では、レンズ４０がクッション材２２に接触または接触可能となって、このレンズ４０とターンテーブル２１の下面とが直接接触するのを防いでいる。
【００２７】
なお、主軸３２および副軸は、図１および図２に示すように、光ピックアップ３１がスピンドルモータ２０のハウジングと衝突する位置までスライドさせる長さを有している。また、光ピックアップ３１の一端側への進行停止は、主軸３２をシャーシ１２に固定する取付部分と、光ピックアップ３１の主軸３２側の突出部分とが衝突することで、為されるようにしても良い。
【００２８】
また、ディスク再生装置１０には、その内部に制御手段を構成する制御部５０（図１、図２参照）が設けられている。制御部５０は、ピック駆動用モータ３６の駆動を制御するものであり、このピック駆動用モータ３６に対して電気的に接続されている。かかる制御部５０での制御により、ピック駆動用モータ３６の作動が適切に制御され、光ピックアップ３１のスライド位置が適切な場所となる。
【００２９】
なお、制御部５０は、ディスク１３がターンテーブル５２に載置された状態、またはディスク１３が再生されない休止状態（再生状態／再生待機状態）において、他ソース／電源オフ（チューナ等を使用した場合、または電源オフにした場合をいう。）に切り替えられた場合に、レンズ４０がターンテーブル２１の下方に位置するように、ピック駆動用モータ３６をオン作動させるものである。そのため、制御部５０は、かかる駆動の制御を行うものであれば、どのような構成でも良い。この制御部５０の例としては、タイマー機構を用いるものや、センサ機構を用いるもの、ラック３５が不図示の検出スイッチを押すことにより駆動が停止するもの等、種々の構成が適用可能である。
【００３０】
また、レンズ４０をターンテーブル２１の下方に位置させる場合に、レンズ４０とターンテーブル２１との間のクリアランスが少ない場合も考えられる。この場合には、制御部５０を光ピックアップ３１に接続する構成とすると共に、該光ピックアップ３１のレンズ４０の高さ位置を、電気的制御によって下方に下げるように制御する構成としても良い。
【００３１】
すなわち、レンズ４０とターンテーブル２１との間のクリアランスが、規定された値以下の場合に、制御部５０での制御指令により光ピックアップ３１を駆動して、該クリアランスが規定された値以上となるように、レンズ４０の高さ位置を調整する構成としても良い。
【００３２】
以上のような構成を有するレンズ保護機構１１およびこのレンズ保護機構１１を具備するディスク再生装置１０の動作について、以下に説明する。
【００３３】
上述のレンズ保護機構１１を有するディスク再生装置１０において、ターンテーブル２１上にディスク１３の調芯を行ないながらディスク１３を載置すると共に、該ディスク１３の上方から不図示のクランパを回転駆動させ、ディスク１３がターンテーブル２１上に載置されると共に、クランパとターンテーブル２１とで挟まれた状態とする。この状態で、スピンドルモータ２０を駆動させ、ディスク１３を回転駆動させると共に、ピック駆動用モータ３６を駆動させる。すると、レンズ４０を通過した光がディスク１３の裏面に照射され、さらにディスク１３で反射された光が、レンズ４０を通過し、光ピックアップ３１に設けられている不図示の情報読み取り部に光が照射される。それにより、ディスク１３に記録されている情報が読み取られ、該ディスク１３の再生が可能となる。
【００３４】
なお、このディスク１３の再生状態／再生待機状態は、図３（ａ）、（ｂ）に示される通りである。このうち、図３（ａ）は、レンズ４０がディスク１３の外周側に位置している状態、図３（ｂ）は、レンズ４０がディスク１３の内周側に位置している状態を示すものである。
【００３５】
かかるディスク１３の再生状態／再生待機状態で、他ソース／電源オフに切り替えられた場合には、制御部５０は、ピック駆動用モータ３６を作動させ、光ピックアップ３１をディスク１３の内周側に向けて駆動させる。この場合、光ピックアップ３１は、レンズ４０がターンテーブル２１（クッション材２２）の下方に位置するまで、ピック駆動用モータ３６によって駆動される。
【００３６】
そして、レンズ４０をターンテーブル２１の下方に退避させ（図３（ｃ）参照）、かかる退避状態で、ピック駆動用モータ３６の駆動が停止される。なお、このピック駆動用モータ３６は、上述したような、タイマー機構での所定時間の経過、センサ機構での位置検出、光ピックアップ３１がスピンドルモータ２０の外周に突き当たる等のメカ的な停止、またはラック３５が検出スイッチを押す等によって、駆動停止が為される。
【００３７】
ここで、図３（ｃ）に示すように、レンズ４０がターンテーブル２１の下方に位置している（退避している）場合には、レンズ４０の上部にクッション材２２が位置している。そのため、レンズ４０とターンテーブル２１の間に、クッション材２２が介在する構成となり、該レンズ４０とターンテーブル２１とが直接接触するのが防止される。なお、上述のように、クッション材２２は、レンズ４０が接触する高さ位置に設けられていても、退避時にレンズ４０が常時接触しない高さ位置に取り付けられていても良いが、いずれの場合でも、振動が生じていてもレンズ４０にターンテーブル２１が接触するのが防止される。
【００３８】
このような構成のレンズ保護機構１１、およびこのレンズ保護機構１１を具備するディスク再生装置１０によれば、ディスク１３の再生状態／再生待機状態で他ソース／電源オフに切り替えられると、制御部５０でのピック駆動用モータ３６に対する制御指令により、レンズ４０がターンテーブル２１の下方に退避させられる。それによって、レンズ４０とディスク１３とが接触するのを防止することができる。このため、レンズ４０やディスク１３に傷が付くのを防ぐことができ、ディスク再生装置１０の長寿命化を図ることができる。
【００３９】
なお、ターンテーブル２１は、スピンドルモータ２０の回転軸２０ａに安定的に取り付けられている。また、ターンテーブル２１が傾いたとしても、ターンテーブル２１は小径であるため、軸方向の変動は僅かである。このため、レンズ４０の退避後に、ターンテーブル２１が傾いて、レンズ４０と接触するといった不具合が生じない。
【００４０】
また、従来のように、ディスク再生装置１０が他ソース／電源オフに切り替えられた場合、光ピックアップ３１に通電しなくても、ディスク１３とレンズ４０とが接触しない状態とすることができる。このように、他ソース／電源オフへの切り替え時に、通電しなくても良いので、電力の消費を抑えることができる。また、別途通電のための機構を設ける必要もなくなる。
【００４１】
また、レンズ４０は、安定的なターンテーブル２１の下方に退避させられるので、該レンズ４０とターンテーブル２１との間のクリアランスが小さくて済む。それにより、ディスク再生装置１０の薄型化、および光ピックアップ３１の薄型化も可能となる。また、かかる薄型化が可能となることにより、特に車載用のディスク再生装置１０としては、最適な装置構成とすることができる。
【００４２】
なお、クッション材２２をターンテーブル２１の下面に取り付けることにより、レンズ４０とターンテーブル２１の下面との間のクリアランスを小さくした場合であっても、レンズ４０とターンテーブル２１との直接の接触を、確実に防止することができる。それにより、一層良好なレンズ保護機構１１とすることができる。また、ターンテーブル２１の半径をスピンドルモータ２０のハウジングの半径よりも大きくし、両半径の差をレンズ４０の半径よりも大きくすると共に、レンズ４０を光ピックアップ３１のうち、スピンドルモータ２０のハウジング側に取り付けている。それによって、レンズ４０をターンテーブル２１の下方に確実に退避させることができる。
【００４３】
また、レンズ４０をターンテーブル２１の下方に位置させるに際して、両者のクリアランスが少ない場合に、制御部５０によって光ピックアップ３１を制御駆動させることにより、両者の間のクリアランスを規定以上のものにすることができる。それによって、レンズ４０の退避のためにピック駆動用モータ３６を作動させた場合に、該レンズ４０とターンテーブル２１とが衝突するのを防止することができる。このため、レンズ４０に傷を生じさせずに、該レンズ４０の良好な退避が可能となる。
【００４４】
また、ディスク再生装置１０に既に存しているピックアップ駆動機構３０（ピック駆動用モータ３６、ラック３５、主軸３２等）を利用し、さらに制御部５０が加えられてレンズ保護機構１１が構成されている。このため、ディスク１３の外周側にレンズ４０を退避させるタイプの従来のレンズ保護機構と比較して、レンズ４０やディスク１３の十分な保護を図りながらでも、ディスク再生装置１０の大型化を抑えることができる。
【００４５】
また、ディスク再生装置１０に既に存しているピックアップ駆動機構３０を利用したレンズ保護機構１１とすることで、レンズ４０やディスク１３の十分な保護を図りながらも、コストの増加を抑えることが可能となる。
【００４６】
以上、本発明の一実施の形態について述べたが、本発明はこれ以外にも種々変形可能となっている。以下、それについて述べる。
【００４７】
上述の実施の形態では、クッション材２２を、ターンテーブル２１の下面に貼付するものとしている。しかしながら、ターンテーブル２１の下方にレンズ４０を退避させた場合に、両者のクリアランスが十分確保できる構成であれば、クッション材２２を貼付しない構成としても良い。
【００４８】
また、上述の実施の形態では、レンズ４０とターンテーブル２１との間の衝突を防止するために、光ピックアップ３１を制御部５０によって制御駆動し、両者の間のクリアランスが規定の値以上となるように調整するものを採用しても良い、と述べている。しかしながら、制御部５０によって光ピックアップ３１を制御駆動することで、クリアランスの調整を行う構成とはせずに、該光ピックアップ３１のディスク１３の内径側への移動に伴って、光ピックアップ３１の高さ位置を強制的に下げるガイド手段を設ける構成としても良い。かかる構成とすれば、光ピックアップ３１をスライドさせるだけで、レンズ４０をターンテーブル２１の下方に、一定のクリアランスを確保した状態で、良好に退避させることができる。
【００４９】
また、レンズ４０の退避時に、クッション材２２とスピンドルモータ２０のハウジングの半径との差（以下、半径差Ａという。）を、レンズ４０の半分以上をクッション材２２が覆うことができるように構成しても良い。この場合、レンズ４０の保護と、レンズ保護機構１１の小変化を考慮すると、そのレンズ４０の半分以上がクッション材２２で覆われる状態とするのが好ましいため、半径差Ａは、（レンズ距離Ｌ１−レンズ４０の半径）≦Ａとするのが好ましい。
【００５０】
また、レンズ４０の退避時に、レンズ４０がクッション材２２で覆われた状態で、無駄に多く動くのを防止するため、Ａ≧（レンズ距離Ｌ１＋レンズ４０の半径）とするようにしても良い。
【００５１】
また、クッション材２２を設けた場合、または設けない場合のいずれであっても、ターンテーブル２１の半径とスピンドルモータ２０のハウジングの半径との差（以下、半径差Ｂという。）を、レンズ距離Ｌ１以上とするのが好ましいが、小型化を考慮すると、そのレンズ４０の半分以上がターンテーブル２１で覆われる状態とするのが好ましいため、半径差Ｂは、（レンズ距離Ｌ１−レンズ４０の半径）≦Ｂとするのが好ましい。また、レンズ４０の退避時に、レンズ４０がターンテーブル２１で覆われた状態で、無駄に多く動くのを防止するため、Ｂ≧（レンズ距離Ｌ１＋レンズ４０の半径）とするようにしても良い。
【００５２】
なお、レンズ４０の一部が、ターンテーブル２１の下方に位置するようにすれば、レンズ４０とディスク１３との接触が防止されるので、一定の効果を有するものとなる。しかしながら、半径差Ａおよび半径差Ｂが、共に上述の数値範囲内とするのが好ましい。もっとも、スピンドルモータ２０のモータ軸が所定長以上であれば、スピンドルモータ２０のハウジングの半径を考慮せずとも、本発明を適用可能であることは、いうまでもない。
【００５３】
また、上述の実施の形態では、クッション材２２の外周縁部に傾斜部２２ａを設けた構成としたが、傾斜部２２ａを設けず、底面に対し垂直となる外周面を設けたクッション材２２を設けるようにしても良い。また、ターンテーブル２１の外周面に、傾斜部２２ａと同様な傾斜面を設ける構成としても良い。
【００５４】
【発明の効果】
本発明によれば、簡易な構成で、ディスクと光ピックアップのレンズとの接触を防ぐことが可能となる。
【図面の簡単な説明】
【図１】本発明の一実施の形態に係るレンズ保護機構を有するディスク再生装置の要部構成を示す平面図であり、ターンテーブルの下方にレンズを退避させた状態を示すものである。
【図２】本発明の一実施の形態に係るレンズ保護機構を有するディスク再生装置の要部構成を示す平面図であり、レンズがターンテーブルの下方に退避する前の状態を示すものである。
【図３】図１のディスク再生装置において、ディスクおよびターンテーブルと、レンズとの間の位置関係を示す側面図であり、（ａ）はレンズがディスクの外周側に位置している状態、（ｂ）はレンズがディスクの内周側に位置している状態、（ｃ）はレンズがターンテーブルの下方に位置している状態を示すものである。
【符号の説明】
１０…ディスク再生装置
１１…レンズ保護機構
１２…シャーシ
１３…ディスク
２０…スピンドルモータ
２１…ターンテーブル
２２…クッション材
３０…ピックアップ駆動機構
３１…光ピックアップ
３２…主軸
３５…ラック
３６…ピック駆動用モータ（駆動源）
４０…レンズ
５０…制御部（制御手段）
【図１】
2004158133.tif 000003
【図２】
2004158133.tif 000004
【図３】
2004158133.tif 000005